【事件の表示】
　特願２００６−３０５２０９「生理用品」拒絶査定不服審判事件〔平成１９年　６月２１日出願公開、特開２００７−１５２０８８〕について、次のとおり審決する。
【結　論】
　本件審判の請求は、成り立たない。
【理　由】
１．手続の経緯 
　本願は、特許法第４１条に基づく優先権主張を伴う平成１８年１１月１０日（優先日、平成１７年１１月１４日）の出願であって、平成２１年７月１日付けで拒絶査定がなされ、これに対して、平成２１年８月２５付けで拒絶査定不服審判の請求がなされたものである。
　その後、当審において、平成２２年１０月５日付けで拒絶理由が通知され、これに対して、平成２２年１２月１３日付けで意見書が提出されると共に、同日付けで手続補正がなされたものである。
　
２．本願発明
　本願の特許請求の範囲の請求項１及び２は、平成２２年１２月１３日付け手続補正により補正されたが、請求項１に記載された「排泄機関」は、本願の明細書及び図面を参酌すると、便及び尿を排出するための生理機能をもつ人体の部分であり、「排泄器官」を意味するものと解されることから、その請求項１に係る発明（以下、「本願発明」という。）は、以下のとおりであるものと認める。
「便及び尿を排出する排泄物に関与する生理用品に於いて、便及び尿を排出する排泄器官に対応する形状にて便及び尿を排出する排泄物の分離に区分帯の手段を設けた生理用品。」
　
３．引用発明
　これに対して、当審で通知した拒絶理由に引用された本願出願前に頒布された刊行物である実願平５−２８５４５号（実開平６−８０４１４号）のＣＤ−ＲＯＭ（以下、「引用例１」という。）及び特表平９−５１０３８４号公報（以下、「引用例２」という。）には、それぞれ以下の各事項が記載されている。
　
［引用例１について］
（１）「【請求項１】  着用者の腰周りに着脱式に取り付けられる腰ベルト１１と、着用者の股間を側面からみてほぼＵ字型に包む大きさ、形状を有し、身体前後の端部で腰ベルト１１に取り付けられ、そのうち少なくとも一方の端部は着脱式にしたカバー部材１２と、小水を収容可能な防水性を有する袋状の前部収容袋１３及び大便を収容可能な袋状の後部収容袋１４と、両収容袋１３、１４を所定の位置に配置するためカバー部材１２の内側に設けられた袋保持部材１５とからなる大小便分別型おしめ。」（【実用新案登録請求の範囲】参照）
　
（２）「【産業上の利用分野】
　本考案は、用便を大便と小便に分別して収容することができるおしめに関するものである。」（段落【０００１】参照）
　
（３）「【実施例】
　各図は寝たきりの人達のための大小便分別型おしめの実施例に関するもので、成人用である。このおしめは着用者の腰周りに巻き付けるように取り付ける腰ベルト１１に、おしめカバーに相当するカバー部材１２を取り付けた外側部分を有し、それにおしめそのものに当たる前部及び後部収容袋１３、１４を取り付ける構成である。
　・・・
　カバー部材１２は着用者の股間を側面から見てほぼＵ字型に包むもので、そのために必要な大きさ、形状に柔軟な材料によりシート状に形成したものである。カバー部材１２も布、紙などを材料とし、その内部に後述する収容袋１３、１４とその保持部材１５及び用便を収容して無理のない大きさに設定される。
　前部収容袋１３は例えば小用数回分、後部収容袋１４は大便１回分の使用に耐えられるように設定され、夫々吸水性の紙類を材料とする内袋１６、１６′とビニール、ポリエチレン等耐水性の樹脂類を材料とする外袋１７、１７′とを内外２重に組わせて用いる。・・・
　袋保持部材１５は、前部収容袋１３と後部収容袋１４を夫々定位置に固定するために使用され、実施例のものは両収容袋１３、１４と別体の取り付け部材である。
　実施例の袋保持部材１５は、着用者の身体の前部から股間を経て後部へ到る左右２本の縦枠１８、１９と、前部と後部の境界部で両縦枠１８、１９を連結する柔軟材よりなる中棧２１及び中棧２１の前後に所要長さ離れた箇所で両縦枠１８、１９を連結する柔軟材よりなる前棧２２及び後棧２３とからなり、中棧２１と前棧２２との間の前取り付け部２４及び中棧２１と後棧２３との間の後取り付け部２５に夫々前部収容袋１３と後部収容袋１４を挿入するように構成される。なお、横棧２１、２２、２３はスポンジのような柔軟材を使用し、場所によって大きさ、形状を変化させるものとする。」（段落【０００５】−【００１０】参照）
　
　以上の記載によると、引用例１には、
「カバー部材１２と、小便を収容可能な防水性を有する袋状の前部収容袋１３及び大便を収容可能な袋状の後部収容袋１４と、両収容袋１３、１４を所定の位置に配置するためカバー部材１２の内側に設けられた袋保持部材１５とからなり、
　上記袋保持部材１５は、着用者の身体の前部から股間を経て後部へ到る左右２本の縦枠１８、１９と、前部と後部の境界部で両縦枠１８、１９を連結する柔軟材よりなる中棧２１及び中棧２１の前後に所要長さ離れた箇所で両縦枠１８、１９を連結する柔軟材よりなる前棧２２及び後棧２３とからなり、中棧２１と前棧２２との間の前取り付け部２４及び中棧２１と後棧２３との間の後取り付け部２５に夫々上記前部収容袋１３と上記後部収容袋１４を挿入するように構成されている大小便分別型おしめ。」の発明（以下、「引用発明１」という。）が記載されていると認められる。
　
［引用例２について］
（１）「１．前方部分（１２）、後方部分（１４）及び中間股部分（１３）を有する、おむつ、失禁ガード又は同類物品の如き吸収性物品であって、前記吸収性物品は吸収体（１）と、吸収体に接合された不透液性底部シート（７）と、大部分の面にわたり吸収体との接続から自由で、物品着用時に着用者の体に近接して位置する頂部シート（９）とを含み、前記頂部シートは後方物品部分から股部分へ延びた開口（１５）と、伸張状態で頂部シートへ取り付けられ、また前記伸張状態から収縮する時、吸収体に接合されていない頂部シートの部分を前記体から離れさせる弾性装置（２４）とを含む吸収性物品に於て、頂部シート（９）は前方部分（１２）から股部分（１３）へ延びた更なる開口（１６）を含み、可撓性材料片（２６）は二つの開口（１５、１６）間に位置する頂部シートの区域（１７）内で吸収体（１）と頂部シート（９）との間で物品を横切って横方向に延び、前記可撓性材料片は吸収体及び頂部シートへ取り付けられることを特徴とする吸収性物品。
・・・
　３．二つの開口（１５、１６）間に位置する頂部シート区域（１７）は湿潤点と糞便排泄点との間に配置されることを特徴とする請求の範囲第１項又は第２項記載の物品。」（【特許請求の範囲】参照）
　
（２）「本発明の目的は尿及び糞便が確実に吸収体上へ落下することを保証し且つ吸収体上に排出された尿と糞便とが混ざるのを防ぐことである。この目的は、頂部シートが前方物品部分から股部分へ延びる第２細長開口も含むこと及び可撓性材料片が吸収体と頂部シートとの間で、二つの細長開口間に位置した頂部シートの部域内で物品を横切り横方向に延び、前記材料片が吸収体及び頂部シートへ取り付けられることを特徴とする冒頭で定義された種類の吸収性物品により本発明に従い達成される。頂部シートに前方開口を設けることにより着用者の排出尿が吸収体へ確実に落下するようになり、また可撓性材料片は吸収体の糞便排出部分にわたり尿が落下又は流れ落ちるのを防ぐバリヤを形成し、また吸収体の尿排出部分へ糞便が入るのを防ぐ。尿と糞便との混合を防止することに加えて、前記配置は糞便が着用者の生殖器と接触するのも防ぐ。」（第４頁下から４行−第５頁７行参照）
　
（３）「図１−図５に示すおむつは、図示の実施例の場合、砂時計形状の本体２と二つの側部体３、４とから成る吸収体１を含む。本体２は二つのシート５、６から成る。上方シート５及び側部体３、４は空気載置セルロースフラッフから成る。・・・
　吸収体１は、例えばポリエチレンプラスチックの如き不透液性材料の外方ケーシングシート又は底部シート７と、好ましくは不織材料から作られる内方透液性ケーシングシート８との間に包被される。・・・
　おむつはケーシングシート７、８と類似した頂部シート９も含み、頂部シート９はおむつの縁部分に沿って前記両ケーシングシートに取り付けられるが、その際、頂部シートは本質的に吸収体１との接続から自由であり、即ち吸収体には接合されない。・・・
　頂部シート９は、おむつの縦方向に細長い二つの対称的な開口、即ち後方開口１５及び前方開口１６を含む。おむつの縦方向に於ける開口１５、１６間に位置する頂部シート９の区域１７は湿潤点と糞便排泄点との間に配置される。湿潤点とは、おむつが着用者へ正確に位置決めされたときに尿の排出が予想されるおむつの部域を意味し、同様に糞便排泄点とは、おむつが正確に位置決めされたときに糞便の付着が予想される区域を意味しており、即ちこれらの区域はそれぞれ着用者の尿道口及び肛門に向かい合って位置する区域を意味しており、この際、おむつの寸法を決める規準となる着用者の寸法範囲内での着用者の体の通常のばらつきを考慮に入れている。各開口１５、１６の側縁１８、１９及び２０、２１は頂部シート区域１７からそれぞれ前方及び後方へ末広がり状に延び、前記開口は吸収体の後方及び前方端から僅かに延びた弧状の横方向縁２２、２３を有する。」（第５頁下から２行−第７頁１５行参照）
　
　以上の記載によると、引用例２には、
「前方部分１２、後方部分１４及び中間股部分１３を有すおむつであって、前記おむつは、吸収体１と、吸収体１に接合された不透液性底部シート７と、着用時に着用者の体に近接して位置する頂部シート９とを含み、前記頂部シート９は、後方物品部分１４から股部分１３へ延びた開口１５と前方部分１２から股部分１３へ延びた開口１６とを含み、可撓性材料片２６は、二つの開口１５、１６間に位置する頂部シート９の区域１７内で吸収体１と頂部シート９との間で物品を横切って横方向に延び、吸収体１及び頂部シート９へ取り付けられ、
　上記区域１７は、尿の排出が予想される湿潤点と糞便の付着が予想される糞便排泄点との間に配置されているおむつ。」の発明（以下、「引用発明２」という。）が記載されていると認められる。
　
４．対比・判断
４−１．引用発明１について
　本願発明と引用発明１とを対比すると、
　引用発明１の「大便」、「小便」及び「おしめ」は、それぞれ本願発明の「便」、「尿」及び「便及び尿を排出する排泄物に関与する生理用品」に相当する。
　また、引用発明１は、中棧２１の前後で小便を収容可能な前部収容袋１３と大便を収容可能な後部収容袋１４を配置し、小便と大便に分別して収容するものであることから、引用発明１のその前後で小便と大便を分別する上記「中棧２１」は、本願発明の「便及び尿を排出する排泄物の分離に区分帯の手段」に相当する。そして、引用発明１は、各排泄器官の形状に対応していることも明らかである。
　よって、引用発明１は、本願発明の構成を全て備えており、相違するところはない。 
　したがって、本願発明は、引用例１に記載された発明である。
　
４−２．引用発明２について
　本願発明と引用発明２とを対比すると、
　引用発明２の「糞便」及び「おむつ」は、それぞれ本願発明の「便」及び「便及び尿を排出する排泄物に関与する生理用品」に相当する。
　また、引用発明２は、頂部シート９の区域１７の前後において、後方物品部分１４から股部分１３へ延びた開口１５と前方部分１２から股部分１３へ延びた開口１６に、それぞれ糞便と尿を別々に排出させるものであることから、引用発明２のその前後において糞便と尿を別々に排出させる「区域１７」は、本願発明の「便及び尿を排出する排泄物の分離に区分帯の手段」に相当する。そして、引用発明２は、各排泄器官の形状に対応していることも明らかである。
　よって、引用発明２は、本願発明の構成を全て備えており、相違するところはない。 
　したがって、本願発明は、引用例２に記載された発明である。
　
５．むすび
　以上のとおり、本願発明は、引用例１または引用例２に記載された発明であるから、特許法第２９条第１項第３号に該当し、特許を受けることができない。
　よって、原査定は妥当であり、結論のとおり審決する。